(57)【要約】【課題】  電力供給が不要でありながら短時間に大量のアルカリイオン水を生成する。【解決手段】  給水口４ａ及び排水口４ｂを有するタンク２と、タンク２内において軸受１１，１２により支持された回転軸１３と、回転軸１３に固定された回転羽根１６と、所定距離を隔てて回転軸１３に固定された複数の回転盤１７・・・と、電解物質１８を保持してなる電解物質保持体１９と、電解物質保持体１９を回転盤１７に固定する固定手段とを備え、給水口４ａからタンク２内に導入された水の圧力による回転羽根１６の回転により回転軸１３を回転させ、回転盤１７に固定された電解物質保持体１９を回転軸１３まわりに回転させながら、給水口４ａからタンク２内に導入された水と電解物質１８との電気化学的作用によりアルカリイオン水を生成する。【選択図】        図１
2005313054.tif 000002
【特許請求の範囲】
【請求項１】
給水口と排水口とを有するアルカリイオン水生成処理タンクと、
該タンク内において両端を軸受により支持された回転軸と、
該回転軸に固定された回転羽根と、
前記回転軸方向に所定距離を隔てて前記回転軸に固定された複数の回転盤と、
電解物質を保持してなる電解物質保持体と、
前記電解物質保持体を前記回転盤に固定する固定手段とを備え、
前記給水口から前記タンク内に導入された水の圧力による前記回転羽根の回転により前記回転軸を回転させ、前記固定手段により前記回転盤に固定された前記電解物質保持体を前記回転軸まわりに回転させながら、前記給水口から前記タンク内に導入された水と前記電解物質との電気化学的作用によりアルカリイオン水を生成してなるアルカリイオン水生成器。
【請求項２】
給水口と排水口とを有するアルカリイオン水生成処理タンクと、
該タンク内において両端を軸受により支持された回転軸と、
該回転軸に固定された回転羽根と、
前記回転軸方向に所定距離を隔てて前記回転軸に固定された複数の回転盤と、
該回転盤に保持された電解物質とを備え、
前記給水口から前記タンク内に導入された水の圧力による前記回転羽根の回転により前記回転軸を回転させ、前記回転盤に保持された電解物質を前記回転軸まわりに回転させながら、前記給水口から前記タンク内に導入された水と前記電解物質との電気化学的作用によりアルカリイオン水を生成してなるアルカリイオン水生成器。
【請求項３】
前記電解物質が、標準電極電位の異なる少なくとも２つの物質からなるもの又はトルマリンからなるものである請求項１又は２記載のアルカリイオン水生成器。
【請求項４】
前記標準電極電位の異なる物質が亜鉛と銅である請求項３記載のアルカリイオン水生成器。
【請求項５】
前記回転盤の外周から略前記回転軸の回転中心方向に向かう少なくとも１個の切り欠きを形成し、該切り欠きの近傍を前記回転軸方向に折り曲げてなる請求項１〜４のいずれかに記載のアルカリイオン水生成器。
【請求項６】
前記回転軸方向を上下方向とし、前記回転軸の回転中心から１８０°位相をずらして前記回転盤の外周から略前記回転軸の回転中心方向に向かう２個の切り欠きを形成し、該切り欠きの近傍を上下方向に折り曲げると共に、該２個の切り欠きの方向と前記回転軸の回転中心から９０°位相をずらした位置に前記電解物質保持体又は電解物質を保持すると共に、前記複数の回転盤を、上方の回転盤から下方の回転盤に向かうにつれて、同方向に９０°ずつ位相をずらして配設してなる請求項１〜４のいずれかに記載のアルカリイオン水生成器。
【請求項７】
前記回転軸の両端を支持する軸受が円錐状凹部を有するものであり、前記回転軸の両端が前記軸受の円錐状凹部の頂角よりも頂角の角度が小さい円錐状凸部である請求項１〜６のいずれかに記載のアルカリイオン水生成器。
【請求項８】
前記回転軸が、該回転軸を横断分割してなる形状の少なくとも２個の分割体を螺合して一体化した連結体である請求項７記載のアルカリイオン水生成器。
【発明の詳細な説明】
【技術分野】
【０００１】
本発明は、例えば自動車のボディ等の洗浄水として使用するアルカリイオン水を生成するアルカリイオン水生成器に関するものである。
【背景技術】
【０００２】
アルカリイオン水は還元水であり、自動車のボディ若しくはウィンドー又は洗濯物等の被洗浄物に触れると、該被洗浄物の電子や酸素を奪う還元反応が起こるため、該被洗浄物の汚れの除去が容易となる。このようなアルカリイオン水の洗浄作用を利用するためのアルカリイオン水の生成器として、給水口及び排水口を有するタンクに、トルマリン鉱石を粉砕処理した微粉末とセラミックとを合わせて焼結加工してなるトルマリンボール等を収納することにより、前記給水口から供給された前記タンク内の水を電気分解して弱アルカリ性のイオン水とし、前記排水口から洗車装置に供給するもの（例えば、特許文献１参照。）、給水口及び排水口を有する装置本体内の水の流路中に、通水側に孔開き絶縁板及び陰極を配置すると共に陽極に無孔絶縁板を配置し、制御盤により前記電極間に電力を供給して、前記給水口から供給された前記装置本体内の水を電気分解して、前記陰極側に生成したマイナスイオン水を前記排水口から洗車機用タンクに供給するもの（例えば、特許文献２参照。）等がある。
【特許文献１】特開平１１−２４５７７９号公報（図１）
【特許文献２】特開２０００−３１７４１４号公報（図１−３）
【発明の開示】
【発明が解決しようとする課題】
【０００３】
特許文献１のアルカリイオン水生成器の構成は、前記トルマリンボールに接触した水をトリマリンの圧電作用により電気分解させてアルカリイオン水を生成するものであるため、大量のアルカリイオン水を生成することができないものである。生成するアルカリイオン水の量を増大させるためには、大量のトルマリンが必要となりアルカリイオン水生成器の重量が増大することになる。したがって、コストが増大すると共に、設置スペース及び運搬性の観点から使用場所が限定されるため、特に自動車の洗車等のように大量の洗浄水を必要とする用途には適さないという問題点がある。
【０００４】
また、特許文献２のアルカリイオン水生成器の構成は、前記電極間に電力を供給する電源並びに前記電極への給電電圧及び電流を制御する制御装置等が必要となるため、コストが増大すると共に、構成が複雑であるため長期にわたる信頼性に欠けるという問題点がる。また、特許文献２のアルカリイオン水生成器の構成は、大量のアルカリイオン水を生成することができるものであるが、アルカリイオン水を生成するためには前記電極に連続して電力を供給する必要があるため、省エネルギー対策上の問題点がある。
【０００５】
本発明は、前記のような問題点を解決するためになされたものであり、電力供給が不要でありながら短時間に大量のアルカリイオン水を生成することができ、長期にわたり信頼性が高く、コスト低減化を図ることができる、実用的なアルカリイオン水生成器を得ることを目的とする。
【課題を解決するための手段】
【０００６】
本発明に係るアルカリイオン水生成器は、前記課題解決のために、給水口と排水口とを有するアルカリイオン水生成処理タンクと、該タンク内において両端を軸受により支持された回転軸と、該回転軸に固定された回転羽根と、前記回転軸方向に所定距離を隔てて前記回転軸に固定された複数の回転盤と、電解物質を保持してなる電解物質保持体と、前記電解物質保持体を前記回転盤に固定する固定手段とを備え、前記給水口から前記タンク内に導入された水の圧力による前記回転羽根の回転により前記回転軸を回転させ、前記固定手段により前記回転盤に固定された前記電解物質保持体を前記回転軸まわりに回転させながら、前記給水口から前記タンク内に導入された水と前記電解物質との電気化学的作用によりアルカリイオン水を生成してなるものである。
【０００７】
また、本発明に係るアルカリイオン水生成器は、前記課題解決のために、給水口と排水口とを有するアルカリイオン水生成処理タンクと、該タンク内において両端を軸受により支持された回転軸と、該回転軸に固定された回転羽根と、前記回転軸方向に所定距離を隔てて前記回転軸に固定された複数の回転盤と、該回転盤に保持された電解物質とを備え、前記給水口から前記タンク内に導入された水の圧力による前記回転羽根の回転により前記回転軸を回転させ、前記回転盤に保持された電解物質を前記回転軸まわりに回転させながら、前記給水口から前記タンク内に導入された水と前記電解物質との電気化学的作用によりアルカリイオン水を生成してなるものである。
【０００８】
ここで、前記電解物質が、標準電極電位の異なる少なくとも２つの物質からなるもの又はトルマリンからなるものであると好ましい。
【０００９】
また、前記標準電極電位の異なる物質が亜鉛と銅であると好ましい。
【００１０】
さらに、前記回転盤の外周から略前記回転軸の回転中心方向に向かう少なくとも１個の切り欠きを形成し、該切り欠きの近傍を前記回転軸方向に折り曲げてなると好ましい。
【００１１】
さらにまた、前記回転軸方向を上下方向とし、前記回転軸の回転中心から１８０°位相をずらして前記回転盤の外周から略前記回転軸の回転中心方向に向かう２個の切り欠きを形成し、該切り欠きの近傍を上下方向に折り曲げると共に、該２個の切り欠きの方向と前記回転軸の回転中心から９０°位相をずらした位置に前記電解物質保持体又は電解物質を保持すると共に、前記複数の回転盤を、上方の回転盤から下方の回転盤に向かうにつれて、同方向に９０°ずつ位相をずらして配設してなると好ましい。
【００１２】
また、前記回転軸の両端を支持する軸受が円錐状凹部を有するものであり、前記回転軸の両端が前記軸受の円錐状凹部の頂角よりも頂角の角度が小さい円錐状凸部であると好ましい。
【００１３】
さらに、前記回転軸が、該回転軸を横断分割してなる形状の少なくとも２個の分割体を螺合して一体化した連結体であると好ましい。
【発明の効果】
【００１４】
本発明に係るアルカリイオン水生成器によれば、給水口と排水口とを有するアルカリイオン水生成処理タンクと、該タンク内において両端を軸受により支持された回転軸と、該回転軸に固定された回転羽根と、前記回転軸方向に所定距離を隔てて前記回転軸に固定された複数の回転盤と、電解物質を保持してなる電解物質保持体と、前記電解物質保持体を前記回転盤に固定する固定手段とを備え、前記給水口から前記タンク内に導入された水の圧力による前記回転羽根の回転により前記回転軸を回転させ、前記固定手段により前記回転盤に固定された前記電解物質保持体を前記回転軸まわりに回転させながら、前記給水口から前記タンク内に導入された水と前記電解物質との電気化学的作用によりアルカリイオン水を生成してなるので、電力供給が不要な簡素な構成でありながら、前記回転による回転水流により、前記アルカリイオン水生成処理タンク内に導入された水と前記回転軸の回転中心まわりに回転している多数の前記電解物質保持体又は電解物質との接触面積が大きくなり、前記回転水流により攪拌されてイオン電子活動が活発化されるため、短時間に大量のアルカリイオン水を生成することができる。また、コストの低減化を図ることができると共に、長期にわたる信頼性の向上及び省エネルギー化も図ることができる。
【００１５】
また、本発明に係るアルカリイオン水生成器によれば、給水口と排水口とを有するアルカリイオン水生成処理タンクと、該タンク内において両端を軸受により支持された回転軸と、該回転軸に固定された回転羽根と、前記回転軸方向に所定距離を隔てて前記回転軸に固定された複数の回転盤と、該回転盤に保持された電解物質とを備え、前記給水口から前記タンク内に導入された水の圧力による前記回転羽根の回転により前記回転軸を回転させ、前記回転盤に保持された電解物質を前記回転軸まわりに回転させながら、前記給水口から前記タンク内に導入された水と前記電解物質との電気化学的作用によりアルカリイオン水を生成してなるので、電力供給が不要な簡素な構成でありながら、前記回転による回転水流により、前記アルカリイオン水生成処理タンク内に導入された水と前記回転軸の回転中心まわりに回転している多数の前記電解物質との接触面積が大きくなり、前記回転水流により攪拌されてイオン電子活動が活発化されるため、短時間に大量のアルカリイオン水を生成することができる。また、コストの低減化を図ることができると共に、長期にわたる信頼性の向上及び省エネルギー化も図ることができる。
【００１６】
さらに、本発明に係るアルカリイオン水生成器によれば、前記電解物質が、標準電極電位の異なる少なくとも２つの物質からなるもの又はトルマリンからなるものであるので、前記電解物質の形成が容易となる。
【００１７】
さらにまた、本発明に係るアルカリイオン水生成器によれば、前記標準電極電位の異なる物質が亜鉛と銅であるので、より低コスト化を図ることができる。
【００１８】
また、本発明に係るアルカリイオン水生成器によれば、前記回転盤の外周から略前記回転軸の回転中心方向に向かう少なくとも１個の切り欠きを形成し、該切り欠きの近傍を前記回転軸方向に折り曲げてなるので、該切り欠きを通って水が移動できると共に前記折り曲げにより形成された屈曲部に当たる水流により前記回転軸回転力が助勢され、前記イオン電子活動の活発化を促進することができる。
【００１９】
さらに、本発明に係るアルカリイオン水生成器によれば、前記回転軸方向を上下方向とし、前記回転軸の回転中心から１８０°位相をずらして前記回転盤の外周から略前記回転軸の回転中心方向に向かう２個の切り欠きを形成し、該切り欠きの近傍を上下方向に折り曲げると共に、該２個の切り欠きの方向と前記回転軸の回転中心から９０°位相をずらした位置に前記電解物質保持体又は電解物質を保持すると共に、前記複数の回転盤を、上方の回転盤から下方の回転盤に向かうにつれて、同方向に９０°ずつ位相をずらして配設してなるので、前記切り欠きを通って水が移動できると共に前記折り曲げにより形成された屈曲部に当たる水流により前記回転軸回転力が助勢され、前記イオン電子活動の活発化を促進することができる。また、前記給水口から前記アルカリイオン水生成処理タンク内に導入された水の下方への流れが円滑になると共に、該タンク内に導入された水を前記回転軸の回転中心まわりに回転している前記多数の電解物質保持体又は電解物質に効果的に接触させることができる。
【００２０】
さらにまた、本発明に係るアルカリイオン水生成器によれば、前記回転軸の両端を支持する軸受が円錐状凹部を有するものであり、前記回転軸の両端が前記軸受の円錐状凹部の頂角よりも頂角の角度が小さい円錐状凸部であるので、前記回転軸の回転抵抗が少ないと共に構成が簡素であるため、前記回転軸の円滑かつ信頼性の高い回転が可能となる。
【００２１】
また、本発明に係るアルカリイオン水生成器によれば、前記回転軸が、該回転軸を横断分割してなる形状の少なくとも２個の分割体を螺合して一体化した連結体であるので、前記軸受の円錐状凹部又は前記回転軸の円錐状凸部が磨耗しても、前記分割体の間にスペーサを装着することにより、前記軸受及び回転軸を交換することなく、長期間にわたり連続して使用することができる。
【発明を実施するための最良の形態】
【００２２】
次に、本発明の実施の形態を添付図面に基づき詳細に説明するが、本発明は、添付図面に示された形態に限定されず特許請求の範囲に記載の要件を満たす実施形態の全てを含むものである。図１及び図２は、本発明の実施の形態に係るアルカリイオン水生成器の構成を示す説明図であり、図１は縦断正面図、図２は平面図である。また、図３及び図４は回転軸まわりの構成を示す説明図であり、図３は回転軸に固定された回転盤への電解物質保持体の取付方法を示す斜視図、図４は回転軸に固定された回転盤に電解物質保持体を取り付けた状態を示す斜視図である。さらに、図５は、電解物質及び電解物質保持手段の構成例を示す斜視図である。
【００２３】
本発明の実施の形態に係るアルカリイオン水生成器１は、アルカリイオン水生成処理タンク２及び該アルカリイオン水生成処理タンク２を収容する容器３等により構成されている。アルカリイオン水生成処理タンク２は、給水口４ａ及び排水口４ｂを有する例えば円筒状の側板４に円板状の底板５を溶接すると共に、側板４の上面又は上側面に円環状の板６を溶接してフランジ部を形成し、該フランジ部の上面に、円環状の例えばゴム製のパッキン７を介して円板状の蓋板８を、前記フランジ部下面に溶接したナット９・・・にボルト１０・・・を螺合することにより固定してなり、給水口４ａ及び排水口４ｂ以外の部分からの水漏れが無いように形成されている。なお、アルカリイオン水生成処理タンク２及び該タンク内の水に触れる部分は、パッキン７及び後述する電解物質１８を除き、防錆上の観点から、例えば極めて錆びにくく化学的に安定なＳＵＳ３０４又はＳＵＳ３０４にリンを加えて切削性をよくしたＳＵＳ３０３等のステンレス材料を用いるのが好ましい。
【００２４】
アルカリイオン水生成処理タンク２の円板状の蓋板８の下面中心部には位置決め凹部８ａが形成されており、該位置決め凹部８ａに軸受１１の位置決め凸部１１ａを嵌合させて、蓋板８と軸受１１との位置決めがなされ、蓋板８と軸受１１とは溶接により固定されている。また、軸受１１には、その下面に、上方に頂角を有するように円錐状凹部１１ｂが形成されている。
【００２５】
アルカリイオン水生成処理タンク２の円板状の底板５の上面中心部には位置決め凹部５ａが形成されており、該位置決め凹部５ａに軸受１２の位置決め凸部１２ａを嵌合させて、底板５と軸受１２との位置決めがなされ、底板５と軸受１２とは溶接により固定されている。また、軸受１２には、その上面に、下方に頂角を有するように円錐状凹部１２ｂが形成されている。
【００２６】
アルカリイオン水生成処理タンク２内の回転軸１３は、該回転軸を横断分割してなる２個の分割体である上回転軸１４及び下回転軸１５を螺合して一体化した連結体により形成されている。また、上回転軸１４の上端には、前記軸受１１の円錐状凹部１１ｂの頂角よりも頂角が小さい円錐状凸部１４ａが形成されており、下回転軸１５の下端には、前記軸受１２の円錐状凹部１２ｂよりも頂角が小さい円錐状凸部１５ａが形成されている。
【００２７】
以上のような軸受１１，１２の円錐状凹部１１ｂ，１２ｂにより回転軸１３の円錐状凸部１４ａ及び１５ａの先端部を支持する構成により、回転軸１３の回転抵抗が少ないと共に構成が簡素であるため、回転軸１３の円滑かつ信頼性の高い回転が可能となっている。また、軸受１１の円錐状凹部１１ｂと上回転軸１４上端の円錐状凸部１４ａの先端部との相対移動による磨耗、又は、軸受１２の円錐状凹部１２ｂと下回転軸１５上端の円錐状凸部１５ａの先端部との相対移動による磨耗により、軸受１１，１２及び回転軸１３との間に必要以上のバックラッシが生じて回転軸１３の回転動作が円滑でなくなった場合には、上回転軸１４及び下回転軸１５との間にスペーサ（例えば、ワッシャ）を装着することにより、軸受１１，１２及び回転軸１３を交換することなく、長期間にわたり連続して使用することができる。
【００２８】
回転軸１３の前記円錐状凸部１４ａ，１５ａ以外の断面は矩形であり（図２ないし図４参照。）、該矩形断面部の上部には回転羽根１６が外嵌され溶接により固定されている。また、回転軸１３の前記矩形断面部の回転羽根１６の下側には、上下方向に所定距離を隔てて複数の回転盤１７・・・が外嵌され溶接により固定されている。なお、本実施の形態では、回転羽根１６が４枚の羽根１６ａ・・・からなる場合を示しているが、本発明はこのような場合に限定されるものではなく、後述するような給水口４ａからアルカリイオン水生成処理タンク２内に導入される水の圧力により回転軸１３まわりに回転するものであればよい。
【００２９】
各回転盤１７・・・には、回転軸１３の回転中心から１８０°位相をずらして回転盤１７・・・の外周から略回転軸１３の回転中心方向に向かう２個の切り欠き１７ａ，１７ａが形成されている。また、該２個の切り欠き１７ａ，１７ａの近傍を上方向（下方向であってもよい。）に折り曲げて屈曲部１７ｂ，１７ｂが形成されている。したがって、水が切り欠き１７ａ・・・から上下方向に移動できると共に屈曲部１７ｂ・・・に当たる水流により回転軸１３の回転力が助勢される。また、回転軸１３の回転中心から前記２個の切り欠き１７ａ，１７ａの方向と９０°位相をずらした位置に、後述する水を電気分解する性質を有する電解物質１８を保持する２個の電解物質保持体１９，１９を固定している。なお、各回転盤１７・・・の外周から略回転軸１３の回転中心方向に向かう切り欠き１７ａは２個に限定されず、少なくとも１個であればよい。
【００３０】
電解物質保持体１９は、図３に示すように、回転盤１７の一部を切り欠いて立起させて形成した当て板１７ｃ，１７ｃのボルト孔１７ｄ，１７ｄを利用して電解物質保持体１９の側面に形成したねじ孔にボルト２０，２０を螺合させることにより、回転盤１７へ固定される。ここで、当て板１７ｃ，１７ｃ、ボルト孔１７ｄ，１７ｄ、電解物質保持体１９の側面に形成したねじ孔（図５のねじ孔２５参照。）、及び、ボルト２０，２０が、電解物質保持体１９を回転盤１７に固定する固定手段を構成している。また、前記のように切り欠き１７ａ，１７ａが形成されると共に、電解物質保持体１９，１９を保持してなる回転盤１７・・・は、上方の回転盤から下方の回転盤に向かうにつれて、同方向に９０°ずつ位相をずらして配設されている。
【００３１】
このような回転盤１７・・・、切り欠き１７ａ・・・、屈曲部１７ｂ・・・及び電解物質保持体１９・・・の配置により、給水口４ａからアルカリイオン水生成処理タンク２内に導入された水の下方への流れが円滑になると共に、該タンク２内に導入された水は回転軸１３の回転中心まわりに回転している多数の電解物質保持体１９・・・に効果的に接触しながら下降して排水口４ｂから排出される。
【００３２】
アルカリイオン水生成処理タンク２の給水口４ａには給水管２１が内嵌され、排水口４ｂには排水管２２が内嵌されており、給水管２１には管継手２３が連結され、排水管２２には管継手２４が連結されている。そして、図１及び図２に示すように、継手２３に連結される図示しないホースにより給水管２１を通ってアルカリイオン水生成処理タンク２内に導入される例えば水道水が、回転羽根１６の各羽根１６ａ・・・に当たるように、給水管２１を通って該タンク２内に導入される水の方向が、回転軸１３の回転中心から外れて各羽根１６ａ・・・のなるべく外側に当たるように構成されている（図１及び図２の矢印Ａ参照。）。したがって、給水管２１を通って該ンク２内に導入される水の圧力（例えば０．２ＭＰａ程度）により回転羽根１６が効率的に回転するように（図１及び図２の矢印Ｂ参照。）、該回転のトルクが大きくなるように構成されている。
【００３３】
次に、電解物質１８及び電解物質保持体１９について説明する。電解物質１８は、水との電気化学的作用によりアルカリイオン水を生成するもの、例えば水を電気分解する性質を有するものであり、例えば図５に示すように、箱状の電解物質保持体１９である上部電解物質保持体１９ａ及び下部電解物質保持体１９ｂにより、その内部に保持される。上部電解物質保持体１９ａ及び下部電解物質保持体１９ｂは、該保持体に形成し図示しないボルト孔及びねじ孔２６を合わせて、ボルト２７のねじ孔２６への螺合により一体化される。
【００３４】
電解物質１８としては、例えば標準電極電位（標準酸化還元電極電位）の異なる少なくとも２つの物質からなるもの、例えば銅及び亜鉛の粉体をセラミックと合わせて焼結してなる構成等を用いることができる。あるいは、銅及び亜鉛を小球状として多数の小球状の銅及び亜鉛を電解物質保持体１９内に収容してもよい。
【００３５】
ここで、標準電極電位（標準酸化還元電極電位）（２５℃）は、銅（Ｃｕ2+＋２ｅ-→Ｃｕ）が＋０．３３７Ｖ、亜鉛（Ｚｎ2+＋２ｅ-→Ｚｎ）が−０．７６３Ｖであり、この電位差により電流が生じるため水の電気分解を行うことができる。銅及び亜鉛は、前記のとおり標準電極電位差が大きいと共に、安定かつ安価に入手可能なものであるため、電解物質１８として用いるのに適している。
【００３６】
なお、電解物質１８として、特許文献１のようなトルマリン鉱石を粉砕処理した微粉末とセラミックとを合わせて焼結加工してなるトルマリンボール等を用いて、トリマリンの圧電作用により水を電気分解してもよい。トルマリンがその原石及びパウダー等が比較的安価に入手可能であるため、電解物質１８として用いるのに適している。
【００３７】
また、電解物質保持体１９として、図５のような箱体を用いても、電解物質保持体１９が電子を通過させるものであれば、該電解物質保持体１９に水が触れることにより水を電気分解することができる。電子を通過させる電解物質保持体としては、例えばＳＵＳ３０４等のステンレスを用いることができる。なお、電解物質保持体としては、図５の電解物質保持体１９のような箱体に孔をあけた有孔のもの又は網状のものとしてもよい。あるいは、電解物質保持体１９を設けずに、例えば焼結体からなる電解物質１８を回転盤１７に固定する等、電解物質１８を回転盤１７により直接保持するようにしてもよい。
【００３８】
アルカリイオン水生成処理タンク２を収容する容器３は、１２角形の筒状の側板２８（図２参照。円筒状、矩形筒状等であってもよい。）に円板状の底板２９を溶接すると共に、側板２８の上部に円板状の蓋板３０を装着すると共に、底板２９にキャスター３１・・・を取り付けて、アルカリイオン水生成器１が移動しやすいように構成されている。
【００３９】
次に、アルカリイオン水生成処理タンク２の動作について説明する。例えば水道水が、図示しないホースが連結された管継手２３から給水管２１を通ってアルカリイオン水生成処理タンク２内に導入されるが（図１及び図２の矢印Ａ参照。）、使用開始時における状態ではアルカリイオン水生成処理タンク２内には空気が存在しているため、例えば蓋板８に取り付けられた図示しないエア抜きバルブを開いて該空気をアルカリイオン水生成処理タンク２内から排出させる。そして、該空気が排出され、該タンク２内に水が一杯となった後に前記エア抜きバルブを閉じる。このようにして、回転羽根１６及び回転盤１７・・・を水に浸漬すると共に、給水管２１から入る水の圧力と排水管２２から出る水の圧力とを同じにする。
【００４０】
給水管２１を通ってアルカリイオン水生成処理タンク２内に導入された水（図１及び図２の矢印Ａ参照。）は、その水圧により回転羽根１６を回転させる（図１及び図２の矢印Ｂ参照。）。該水は、前記回転により生じる回転水流となって、回転羽根１６の下側の回転盤１７・・・に固定された多数の電解物質保持体１９・・・又は電解物質１８・・・に触れながら下降して排水管２２から継手２４に連結された図示しないホースを通って排出される（図１及び図２の矢印Ｃ参照。）。
【００４１】
前記回転水流により、アルカリイオン水生成処理タンク２内に導入された水と回転軸１３の回転中心まわりに回転している多数の電解物質保持体１９・・・又は電解物質１８・・・との接触面積が大きくなる。また、前記回転水流により攪拌されてイオン電子活動が活発化されるため、水と電解物質との電気化学的作用により短時間に大量のアルカリイオン水を生成することができ、前記排水管２２から継手２４に連結された図示しないホースを通って排出された水は洗浄力に優れたアルカリイオン水となっている。例えば、電解物質１８として亜鉛（Ｚｎ）を含む場合には、亜鉛（Ｚｎ）から放出された電子（２ｅ-）と水（２Ｈ2Ｏ）との反応により水素（Ｈ2）と水酸イオン（２ＯＨ-）が生じる。また、電子を放出した亜鉛イオン（Ｚｎ2+）は、酸化亜鉛（ＺｎＯ）になろうとして酸素（Ｏ2）を取り込もうとするため、さらに水酸イオン（ＯＨ-）が生成する。これらの反応は、前記回転水流により、電解物質１８と水との接触面積が大きくなるため、さらに促進されて水酸イオン（ＯＨ-）を大量に含んだ水が生成されるのである。したがって、このアルカリイオン水を自動車のボディ等の洗浄水として連続して大量に使用することができ、自動車の洗車等のように大量の洗浄水を必要とする用途に用いても洗浄効果を持続させることができる。
【００４２】
また、本発明に係るアルカリイオン水生成器は、水の電気分解のために電力供給をする必要がないため、コストの低減化を図ることができると共に、長期にわたる信頼性の向上及び省エネルギー化も図ることができる。
【００４３】
さらに、本発明に係るアルカリイオン水生成器は、前記回転水流を利用してアルカリイオン水を生成するため大量の電解物質は不要となり、アルカリイオン水生成器の重量及び容積を低減することができるため、省スペース化及び運搬・移動等の容易化を図ることができる。
【図面の簡単な説明】
【００４４】
【図１】本発明の実施の形態に係るアルカリイオン水生成器の構成を示す縦断正面図である。
【図２】本発明の実施の形態に係るアルカリイオン水生成器の構成を示す平面図である。
【図３】回転軸に固定された回転盤への電解物質保持体の取付方法を示す斜視図である。
【図４】回転軸に固定された回転盤に電解物質保持体を取り付けた状態を示す斜視図である。
【図５】電解物質及び電解物質保持手段の構成例を示す斜視図である。
【符号の説明】
【００４５】
１  アルカリイオン水生成器
２  アルカリイオン水生成処理タンク
４ａ  給水口
４ｂ  排水口
１１，１２  軸受
１１ｂ，１２ｂ  円錐状凹部
１３  回転軸
１４  上回転軸
１５  下回転軸
１４ａ，１５ａ  円錐状凸部
１６  回転羽根
１７  回転盤
１７ａ  切り欠き
１７ｂ  切り欠きの近傍を回転軸方向に折り曲げてなる屈曲部
１７ｃ  当て板
１７ｄ  ボルト孔
１８  電解物質
１９  電解物質保持体
２０  ボルト
２１  給水管
２２  排水管
２３，２４  管継手
２５  ねじ孔
【図１】
2005313054.tif 000003
【図２】
2005313054.tif 000004
【図３】
2005313054.tif 000005
【図４】
2005313054.tif 000006
【図５】
2005313054.tif 000007